(57)【要約】【課題】街中で広く使用されている、いわゆるＡ型ボードを風雨から有効に保護しうるカバー部材を提供する。【解決手段】載置面上に載置され、広告板部を有し、側面逆Ｖ字状に形成された広告用ボードに被覆される透明なカバー部材であって、上記広告用ボードは、互いに拡開可能に接合された一対のコ字状のフレーム材と、上記フレーム材に固定された一対のボード本体とを有し、所定角度に拡開して載置面上に立設して使用される状態で被覆できるように全体三角柱状に形成されている。【選択図】図１
0003151588.tif 000002
【実用新案登録請求の範囲】
【請求項１】
載置面上に載置され、広告板部を有し、側面逆Ｖ字状に形成された広告用ボードに被覆される透明なカバー部材であって、上記広告用ボードは、互いに拡開可能に接合された一対のコ字状のフレーム材と、上記フレーム材に固定された一対のボード本体とを有し、最大角度に拡開して載置面上に立設して使用される状態で被覆できるように全体三角柱状に形成されていることを特徴とする広告用ボードのカバー部材。
【請求項２】
上記フレーム材の下端部は脚部として形成され、上記脚部に固定しうる固定紐を備えていることを特徴とする請求項１記載の広告用ボードのカバー部材。
【請求項３】
上記広告用ボードの大きさに合わせてカットしうる切断線が形成されていることを特徴とする請求項１記載の広告用ボードのカバー部材。
【考案の詳細な説明】
【技術分野】
【０００１】
本考案は広告用のカバー部材に係り、特に、Ａ型ボードと呼ばれる広告用ボードを被覆するために使用されるカバー部材に関する。
【背景技術】
【０００２】
一般に、店頭等の外部に配置されるＡ型ボードと呼ばれる広告用ボードが広く使用されている。このようなＡ型ボードは、一対のコ字状のフレーム材と、上記フレーム材に固定された一対のボード本体とを有し、所定角度に拡開した状態で固定して地面または床面上に立設して使用されるように構成されている。
【０００３】
このようなＡ型ボードにあっては、上記ボード本体にはボードマーカーにより、適宜の広告文、例えば、レストランであればメニューを記載したり、その店の宣伝文句、キャッチコピー等を記載でき、通行人に対して夫々のショップ等のアピールを行うことができる。
【０００４】
しかしながら、このようなＡ型ボードは屋外に置かれることが多く、天候によっては風雨に晒され、記載された文章が消えてしまったり、街路のホコリが付着し、ボード本体への記載文が読めなかったりする事態もありうる。
従って、このような事態に対処するために、Ａ型ボードのカバー部材があれば便利である。
【考案の開示】
【考案が解決しようとする課題】
【０００５】
そこで本願考案は、街中で広く使用されている、いわゆるＡ型ボードを風雨から有効に保護しうるカバー部材を提供することにある。
【課題を解決するための手段】
【０００６】
上記課題解決のため、請求項１記載の考案にあっては、載置面上に載置され、広告板部を有し、側面逆Ｖ字状に形成された広告用ボードに被覆される透明なカバー部材であって、上記広告用ボードは、互いに拡開可能に接合された一対のコ字状のフレーム材と、上記フレーム材に固定された一対のボード本体とを有し、所定角度に拡開して載置面上に立設して使用される状態で被覆できるように全体三角柱状に形成されていることを特徴とする。
【０００７】
従って、透明なカバー部材であることから、いわゆるＡ型ボードからなる広告用ボードを、ボード本体に記載された文字を視認しうるように被覆することができる。
【０００８】
請求項２記載の考案にあっては、上記フレーム材の下端部は脚部として形成され、上記脚部に固定しうる固定紐を備えていることを特徴とする。
従って、屋外に設置される広告用ボードに対して、風雨の中にあっても飛ぶことのないように、しっかりと固定することができる。
請求項３記載の考案にあっては、上記広告用ボードの大きさに合わせてカットしうる切断線が形成されていることを特徴とする。
従って、大きさのより小さな広告用ボードに使用することもできる。
【考案の効果】
【０００９】
請求項１記載の考案にあっては、いわゆるＡ型ボードからなる広告用ボードを、ボード本体に記載された文字を視認しうるように被覆することができることから、屋外に設置されることが多いＡ型ボードを有効に被覆することができ、天候によっては風雨に晒され、記載された文章が消えてしまったり、街路のホコリが付着し、ボード本体への記載文が読めなかったりする事態を防止することができる。
【００１０】
請求項２記載の考案にあっては、屋外に設置される広告用ボードに対してカバー部材をしっかりと固定することができるため、屋外で風雨にさらされた場合で広告用ボードから外れてしまう事態や、風雨によりめくれ、水性のマーカーによりボード本体に記載された文字が消えてしまう、という事態を有効に防止することができる。
【００１１】
請求項３記載の考案にあっては、大きさの異なる広告用ボードであっても被覆する広告用ボードの大きさに合わせて使用することができる。
【考案を実施するための最良の形態】
【００１２】
以下、添付図面に示す実施の形態に基づき、本考案を詳細に説明する。
図１に示すように、本考案に係る広告用ボードのカバー部材１０は、いわゆるＡ型ボードと呼ばれる広告用ボード１１に被覆して使用される。
図２に示すように、本実施の形態における広告用ボード１１は、一般に、店の店頭等において屋外で地面に載置されて使用されるものであって、広告板部２５，２５を有し、側面Ａ字状に立設されている。
【００１３】
即ち、上記広告用ボード１１は、互いに拡開可能に接合された一対のコ字状のフレーム材１２，１２と、上記フレーム材１２に固定された一対の金属製のボード本体１３，１３とを有し、所定角度に拡開した状態で、地面または床面等の載置面上に立設して使用されるように構成されている。
【００１４】
上記コ字状フレーム材１２は上端部バー１４と、上記上端部バー１４の両端部に略直角に接合固定された高さ方向バー１５，１５とにより構成されており、
上記一対のコ字状フレーム材１２，１２は、上記上端部バー１４，１４の端部において互いに一対のヒンジ（図示せず）により接合され、上記上端部バー１４，１４を中心に拡開可能に接合され、高さ方向バー１５，１５が所定の角度に拡開した状態で固定されるように構成されている。また、上記高さ方向バー１５，１５の下端部は脚部１６として形成されている。
【００１５】
図１に示すように、本実施の形態に係るカバー部材１０は上記のように構成されたいわゆるＡ型ボードからなる広告用ボード１１を被覆しうるように構成されている。
カバー部材１０は、透明なビニール製であって、上記広告用ボード１１が、高方向バー１５，１５が、所定角度に開いて固定され、載置面上に設置可能になった状態で被覆できるように全体四角柱状に形成されている。
【００１６】
即ち、上記カバー部材１０は未使用の際には折畳んであるが展開した場合には、図１に示すように、全体略四角柱状になる。カバー部材１０が展開されて四角柱状に形成された場合には、互いに対向する長方形の前面部Ａ及び後面部Ｂと、互いに対向する一側面部Ｃ及び他側面部Ｄとを有し、下端部Ｅは開放されている。
【００１７】
この場合、側面部Ｃ，Ｄの頂角αは上記広告用ボード１１の高さ方向バー１５，１５の間の角度と同一に形成されていると共に、斜辺部１８，１８の長さ寸法Ｌは、広告用ボード１１の高さ方向バー１５，１５の長さ寸法よりも僅かに短く形成されている。また、上辺部２６の長さ寸法Ｌ１は、コ字状フレーム材１２の上端部バー１４の長さ寸法よりも僅かに大きく形成されている。
【００１８】
その結果、展開して全体四角形状に形成したカバー部材１０を、載置面上に設置された広告用ボード１１上に、下端部Ｅ側からカバー部材１０を被せた場合には、上記前面部Ａ及び後面部Ｂが、夫々、広告用ボード１１のボード本体１３，１３の面を覆い、上記側面部Ｃ，Ｄが、夫々、一対の高さ方向バー１５，１５側を覆うことにより、広告用ボード１１全体を、隙間のない状態で被覆することができる。
【００１９】
また、本実施の形態に係るカバー部材１０は、上記高さ方向バー１５，１５の脚部に固定しうる固定紐１７を備えている。カバー部材１０が展張された状態において、４つの高さ方向稜線部１９，２０，２１（図中、隠れた部分は省略する）の下端部に、夫々、一対のハトメ２３，２３が取り付けられ、上記ハトメ２３，２３に、夫々、固定紐１７が挿通されている。
【００２０】
従って、広告用ボード１１に上記カバー部材１０を被せた後、４本の高さ方向バー１５，１５，１５，１５の夫々に形成された脚部１６，１６，１６，１６に上記固定紐１７を結びつけ固定することができる。
その結果、強風が吹いた場合であっても、広告用ボード１１から剥離してしまう、という事態を防止することができると共に、強い風雨に遭遇した場合であっても、雨がカバー部材１０内部に入り込み、広告用ボード１１のボード本体１３に、水性のマーカーで記載された文字等が消えてしまう、という事態を防止することができる。
【００２１】
また、図１に示すように、カバー部材１１の下端部から所定寸法部位には、より小さな広告用ボードに被覆できるように、超音波溶着によるウェルダー線からなる切断線２４が形成されている。
本実施の形態に係るカバー部材１０は、大型の広告用ボード１１に対して使用するように構成されているが、より小さな広告用ボードに使用するような場合には、上記切断線２４に沿って、適宜、はさみ等で切断することにより上下方向における長さ寸法を短くして使用することができる。
【００２２】
なお、上記実施の形態にあっては、カバー部材１０が透明な場合を例に説明したが、上記実施の形態に限定されず、ボード本体１３に記載された文字が視認しうる範囲であれば着色されていてもよい。また、広告用ボード１１への固定手段に関しては、上記実施の形態には限定されない。
【産業上の利用可能性】
【００２３】
本考案は、広く、広告用ボードを被覆しうるカバー部材に適用することができる。
【図面の簡単な説明】
【００２４】
【図１】本考案に係るカバー部材の一実施の形態を示す斜視図であって、広告用ボードに装着した状態を示す斜視図である。
【図２】本考案に係るカバー部材が装着される、いわゆるＡ型ボードを示す斜視図である。
【符号の説明】
【００２５】
１０  カバー部材
１１  広告用ボード
１２  フレーム材
１３  ボード本体
１４  上端部バー
１５  高さ方向バー
１６  脚部
１７  固定紐
１９  高さ方向稜線部
２０  高さ方向稜線部
２１  高さ方向稜線部
２３  ハトメ
２４  切断線
Ａ    前面部
Ｂ    後面部
Ｃ    側面部  
Ｄ    側面部
α    頂角
Ｌ    斜辺部の長さ寸法
Ｌ１  上辺部の長さ寸法
【図１】
0003151588.tif 000003
【図２】
0003151588.tif 000004
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
載置面上に載置され、側面逆Ｖ字状に形成され、脚部および広告板部を有する広告用ボードに被覆され、全体略四角柱状に形成され透明であることを特徴とする広告用ボードのカバー部材。
【請求項２】
上記脚部に固定しうる固定紐を備えていることを特徴とする請求項１記載の広告用ボードのカバー部材。
【請求項３】
幅方向に沿って切断線が形成されていることを特徴とする請求項１記載の広告用ボードのカバー部材。
【手続補正２】
【補正対象書類名】明細書
【補正対象項目名】全文
【補正方法】変更
【補正の内容】
【考案の詳細な説明】
【技術分野】
【０００１】
本考案は広告用のカバー部材に係り、特に、Ａ型ボードと呼ばれる広告用ボードを被覆するために使用されるカバー部材に関する。
【背景技術】
【０００２】
一般に、店頭等の外部に配置されるＡ型ボードと呼ばれる広告用ボードが広く使用されている。このようなＡ型ボードは、一対のコ字状のフレーム材と、上記フレーム材に固定された一対のボード本体とを有し、所定角度に拡開した状態で固定して地面または床面上に立設して使用されるように構成されている。
【０００３】
このようなＡ型ボードにあっては、上記ボード本体にはボードマーカーにより、適宜の広告文、例えば、レストランであればメニューを記載したり、その店の宣伝文句、キャッチコピー等を記載でき、通行人に対して夫々のショップ等のアピールを行うことができる。
【０００４】
しかしながら、このようなＡ型ボードは屋外に置かれることが多く、天候によっては風雨に晒され、記載された文章が消えてしまったり、街路のホコリが付着し、ボード本体への記載文が読めなかったりする事態もありうる。
従って、このような事態に対処するために、Ａ型ボードのカバー部材があれば便利である。
【考案の開示】
【考案が解決しようとする課題】
【０００５】
そこで本願考案は、街中で広く使用されている、いわゆるＡ型ボードを風雨から有効に保護しうるカバー部材を提供することにある。
【課題を解決するための手段】
【０００６】
上記課題解決のため、請求項１記載の考案にあっては、載置面上に載置され、側面逆Ｖ字状に形成され、脚部および広告板部を有する広告用ボードに被覆され、全体略四角柱状に形成され透明であることを特徴とする。
【０００７】
従って、透明なカバー部材であることから、いわゆるＡ型ボードからなる広告用ボードを、ボード本体に記載された文字を視認しうるように被覆することができる。
請求項２記載の考案にあっては、上記脚部に固定しうる固定紐を備えていることを特徴とする。
従って、屋外に設置される広告用ボードに対して、風雨の中にあっても飛ぶことのないように、しっかりと固定することができる。
【０００８】
請求項３記載の考案にあっては、幅方向に沿って切断線が形成されていることを特徴とする。
従って、大きさのより小さな広告用ボードに使用することもできる。
【考案の効果】
【０００９】
請求項１記載の考案にあっては、いわゆるＡ型ボードからなる広告用ボードを、ボード本体に記載された文字を視認しうるように被覆することができることから、屋外に設置されることが多いＡ型ボードを有効に被覆することができ、天候によっては風雨に晒され、記載された文章が消えてしまったり、街路のホコリが付着し、ボード本体への記載文が読めなかったりする事態を防止することができる。
【００１０】
請求項２記載の考案にあっては、屋外に設置される広告用ボードに対してカバー部材をしっかりと固定することができるため、屋外で風雨にさらされた場合で広告用ボードから外れてしまう事態や、風雨によりめくれ、水性のマーカーによりボード本体に記載された文字が消えてしまう、という事態を有効に防止することができる。
【００１１】
請求項３記載の考案にあっては、大きさの異なる広告用ボードであっても被覆する広告用ボードの大きさに合わせて使用することができる。
【考案を実施するための最良の形態】
【００１２】
以下、添付図面に示す実施の形態に基づき、本考案を詳細に説明する。
図１に示すように、本考案に係る広告用ボードのカバー部材１０は、いわゆるＡ型ボードと呼ばれる広告用ボード１１に被覆して使用される。
図２に示すように、本実施の形態における広告用ボード１１は、一般に、店の店頭等において屋外で地面に載置されて使用されるものであって、広告板部２５，２５を有し、側面Ａ字状に立設されている。
【００１３】
即ち、上記広告用ボード１１は、互いに拡開可能に接合された一対のコ字状のフレーム材１２，１２と、上記フレーム材１２に固定された一対の金属製のボード本体１３，１３とを有し、所定角度に拡開した状態で、地面または床面等の載置面上に立設して使用されるように構成されている。
【００１４】
上記コ字状フレーム材１２は上端部バー１４と、上記上端部バー１４の両端部に略直角に接合固定された高さ方向バー１５，１５とにより構成されており、
上記一対のコ字状フレーム材１２，１２は、上記上端部バー１４，１４の端部において互いに一対のヒンジ（図示せず）により接合され、上記上端部バー１４，１４を中心に拡開可能に接合され、高さ方向バー１５，１５が所定の角度に拡開した状態で固定されるように構成されている。また、上記高さ方向バー１５，１５の下端部は脚部１６として形成されている。
【００１５】
図１に示すように、本実施の形態に係るカバー部材１０は上記のように構成されたいわゆるＡ型ボードからなる広告用ボード１１を被覆しうるように構成されている。
カバー部材１０は、透明なビニール製であって、上記広告用ボード１１が、高方向バー１５，１５が、所定角度に開いて固定され、載置面上に設置可能になった状態で被覆できるように全体四角柱状に形成されている。
【００１６】
即ち、上記カバー部材１０は未使用の際には折畳んであるが展開した場合には、図１に示すように、全体略四角柱状になる。カバー部材１０が展開されて四角柱状に形成された場合には、互いに対向する長方形の前面部Ａ及び後面部Ｂと、互いに対向する一側面部Ｃ及び他側面部Ｄとを有し、下端部Ｅは開放されている。
【００１７】
この場合、側面部Ｃ，Ｄの頂角αは上記広告用ボード１１の高さ方向バー１５，１５の間の角度と同一に形成されていると共に、斜辺部１８，１８の長さ寸法Ｌは、広告用ボード１１の高さ方向バー１５，１５の長さ寸法よりも僅かに短く形成されている。また、上辺部２６の長さ寸法Ｌ１は、コ字状フレーム材１２の上端部バー１４の長さ寸法よりも僅かに大きく形成されている。
【００１８】
その結果、展開して全体四角形状に形成したカバー部材１０を、載置面上に設置された広告用ボード１１上に、下端部Ｅ側からカバー部材１０を被せた場合には、上記前面部Ａ及び後面部Ｂが、夫々、広告用ボード１１のボード本体１３，１３の面を覆い、上記側面部Ｃ，Ｄが、夫々、一対の高さ方向バー１５，１５側を覆うことにより、広告用ボード１１全体を、隙間のない状態で被覆することができる。
【００１９】
また、本実施の形態に係るカバー部材１０は、上記高さ方向バー１５，１５の脚部に固定しうる固定紐１７を備えている。カバー部材１０が展張された状態において、４つの高さ方向稜線部１９，２０，２１（図中、隠れた部分は省略する）の下端部に、夫々、一対のハトメ２３，２３が取り付けられ、上記ハトメ２３，２３に、夫々、固定紐１７が挿通されている。
【００２０】
従って、広告用ボード１１に上記カバー部材１０を被せた後、４本の高さ方向バー１５，１５，１５，１５の夫々に形成された脚部１６，１６，１６，１６に上記固定紐１７を結びつけ固定することができる。
その結果、強風が吹いた場合であっても、広告用ボード１１から剥離してしまう、という事態を防止することができると共に、強い風雨に遭遇した場合であっても、雨がカバー部材１０内部に入り込み、広告用ボード１１のボード本体１３に、水性のマーカーで記載された文字等が消えてしまう、という事態を防止することができる。
【００２１】
また、図１に示すように、カバー部材１１の下端部から所定寸法部位には、より小さな広告用ボードに被覆できるように、超音波溶着によるウェルダー線からなる切断線２４が形成されている。
本実施の形態に係るカバー部材１０は、大型の広告用ボード１１に対して使用するように構成されているが、より小さな広告用ボードに使用するような場合には、上記切断線２４に沿って、適宜、はさみ等で切断することにより上下方向における長さ寸法を短くして使用することができる。
【００２２】
なお、上記実施の形態にあっては、カバー部材１０が透明な場合を例に説明したが、上記実施の形態に限定されず、ボード本体１３に記載された文字が視認しうる範囲であれば着色されていてもよい。また、広告用ボード１１への固定手段に関しては、上記実施の形態には限定されない。
【産業上の利用可能性】
【００２３】
本考案は、広く、広告用ボードを被覆しうるカバー部材に適用することができる。
【図面の簡単な説明】
【００２４】
【図１】本考案に係るカバー部材の一実施の形態を示す斜視図であって、広告用ボードに装着した状態を示す斜視図である。
【図２】本考案に係るカバー部材が装着される、いわゆるＡ型ボードを示す斜視図である。
【符号の説明】
【００２５】
１０  カバー部材
１１  広告用ボード
１２  フレーム材
１３  ボード本体
１４  上端部バー
１５  高さ方向バー
１６  脚部
１７  固定紐
１９  高さ方向稜線部
２０  高さ方向稜線部
２１  高さ方向稜線部
２３  ハトメ
２４  切断線
Ａ    前面部
Ｂ    後面部
Ｃ    側面部  
Ｄ    側面部
α    頂角
Ｌ    斜辺部の長さ寸法
Ｌ１  上辺部の長さ寸法